(57)【要約】    【課題】  パッキンを確実、且つ容易に止水栓本体に装着すると共に袋ナットを迅速に締結することができる止水栓装置を提供し、熟練者であっても困難であった止水栓の取り替え作業を容易且つ迅速に行う。    【解決手段】  止水栓本体に装着するパッキンを二重構造とし、内リングを突出させ、鍔状のパッキンに形成し、袋ナットの止水栓取り付け側を一部切欠するのである。これによりパッキンを確実に止水栓へ取り付けると共に、水流を側方へ逃がして水圧を下げ、取り付け作業が容易となる。    【選択図】  図５
2006265988.tif 000002
【特許請求の範囲】
【請求項１】
止水栓本体と、内径を突出させて鍔状に形成したパッキンと、先端を一部切欠した袋ナットから成る止水栓装置。
【発明の詳細な説明】
【技術分野】
【０００１】
本発明は水道工事、特に各家庭等の水道栓に接続する止水栓に関するものである。
【背景技術】
【０００２】
【特許文献１】特開平８−６８０８０号公報
【発明の開示】
【発明が解決しようとする課題】
【０００３】
一般的に家庭用上水道に利用される止水栓は水道メ−タ−の手前に取り付けられ、上流側から下流の水道メ−タ−へと水を通し、水道栓の元栓として機能している。これが老朽化によりバルブが閉まらなくなる等、止水栓全体を交換する必要が生じてくる。
【０００４】
止水栓の取り替え作業は通常、本管のバルブを止めずに通水状態のままで行われる。広範囲に亘って断水させると近隣の家庭に迷惑をかけるだけでなく、復旧後に赤水や濁り水が発生するおそれがあるからである。
【０００５】
取り替え作業は大きな水槽内で行われる。二人組になった業者の一人が水槽内に手を入れ、古い止水栓を取り除いた後、新しい止水栓本体１にパッキンを装着し、袋ナット２をねじ込むのである。ところが、通水状態で作業を行うため袋ナット２側から水が激しく噴射し、パッキン３が水圧で吹き飛び、止水栓に装着することが容易ではなく、水槽内を目視できずに作業員はびしょぬれになりながら手探りで袋ナット２の締め付け作業を行っている。これらは長年の経験と勘に頼るところが大きく、又、他の作業員は漏水の有無をチェックしなければならない。又、熟練者であっても水圧が０．５Ｍｐａ以上の場合は作業を行うのが困難となる。
【０００６】
困難な止水栓取り替え作業を容易にするために創作された特開平８−６８０８０号公報記載の止水栓取り替え装置７は、図２に示すように止水栓本体４の全長より長く、ボ−ル弁１１の径より小さい径を有するパイプ状のガイド管９を止水栓本体４に内挿し、吸水吐出管５から噴出する水をガイド管９内に逃がすと共に、パッキン６をガイド管の先端９ａに外挿するのである。ところが、当該装置７はガイド管９の後方に把持部１０、通水案内部である延長パイプ８が連結されており、全体として大がかりな装置となっているため、止水管取替作業の必要部材点数が増加し、コスト高となる。又、ボ−ル式止水栓と異なる種類の止水栓にはこの装置は適さない。
【０００７】
そこで、本発明ではパッキンを確実、且つ、容易に止水栓本体に装着すると共に、袋ナットを迅速に締結することができる止水栓装置を提供し、熟練者でなくても安全、且つ、迅速に取替作業を行うことを目的とする。
【課題を解決するための手段】
【０００８】
止水栓本体に装着するパッキンを二重構造とし、内リングを突出させ全体として鍔状のパッキンとすると共に、袋ナットの止水栓取り付け側を一部切欠して水流を側方へ逃がして水圧を下げ、止水栓取替作業を容易にするのである。
【発明の効果】
【０００９】
１、今まで使用されてきた一般的な部材の一部に改良を加えるだけであり、部材点数を増やすことなく、同程度のコストで製作可能である。
【００１０】
２、パッキンの突出部を止水栓に嵌合させるため、水圧で飛んだりずれたりすることなく、装着が容易である。
【００１１】
３、従来の袋ナットのネジ部を長く形成し、当該ネジ部を切欠或はネジ部に穿孔を多数設けることで、多くの水流を側方へ逃がして水圧を効果的に下げることができ、取り替え作業が容易に行えるのである。
【００１２】
４、長年の経験と勘を頼りに行っていた取り替え作業が熟練者でなくても確実且つ容易に行える。
【００１３】
５、取り替え作業を迅速に行えるため、水を浴びて漏水を気にしながらの作業時間が短縮され、作業者の精神的なストレスを低減できる。
【００１４】
６、構成が簡単で安価に供給することが可能である。
【発明を実施するための最良の形態】
【００１５】
次に、本発明の最良の実施形態について図面を参照しながら説明する。
【００１６】
図３が本願発明の止水栓の構成物品の一つである、パッキン１３の断面図、図４が、同、斜視図である。
【００１７】
パッキン１３はゴムから成るリング１４とリング内側に環装した薄い金属リング１５から成る。金属リング１５の先端部１５ａはゴム製リング内部に半径方向外側に向け直角に折り曲げられており、金属リング１５はリング１４から突出する突出部１５を有している。薄い金属リング１５の外径が、止水栓本体の取り付け管の内径よりやや小さく形成されており、金属リングの突出部１５ｂが止水栓本体に嵌合し、リングの鍔部１４ａが止水栓取り付け管入口に係止するため、パッキン１３は噴出水の水圧により吹き飛ばされることがない。
【００１８】
本実施例ではゴムと金属製リングからなる二重構造を有するパッキンを形成したが、内径が突出した鍔を有するパッキンであれば、同一の材質で一体形成しても良い。
【００１９】
次に、他の構成部品の一つである袋ナットについて説明する。図５が袋ナット１６の斜視図、図６が袋ナットの他の実施形態を示す斜視図である。
【００２０】
袋ナット１６は内溝を設けた真鍮製のナット部１６とこれに緩挿したパイプ１７から成る。本発明では当該ナット部のネジ部１６ａを従来の袋ナットのネジ部より長く形成し、更に、先端を数箇所切欠して、吐出口１８を設け、ここから通水を止水栓本体方向ではなく側方へ逃がすのである。ネジ部１６ａを長く形成することで大きく切欠することができ、大きな吐出口１８から側方へより多くの水を逃がし水圧を効果的に下げることができるのである。
【００２１】
図６に示した袋ナットも真鍮製のナット部１９とこれに緩挿したパイプ２０から成る。ナット部１９のネジ部１９ａを従来のナットネジ部よりも長く形成し、当該ネジ部１９ａに多数の穴２１を穿設するのである。長く形成されたナットのネジ部１９ａに多数穿たれた、穿孔２１からより多くの通水を側方へと逃がし、止水栓本体方向へ噴出する水圧を効果的に下げるのである。
【００２２】
図７が本願発明に係る止水栓の取り替え作業の説明図である。止水栓本体２２の取り付け口２３に鍔を有するゴム製パッキン２４に嵌合した薄い金属製リングの突出部２５を嵌合して鍔状パッキン２６で係止して装着する。次に、パイプ２８を緩挿した、先端に切欠部２９を設けた袋ナット２７を止水栓取り付け口２３に嵌め込み、回転螺合するのである。この時、給水３０の一部が袋ナットの切欠部２９から側方へ放流されるため、通水状態の水圧よりも低くなっている。この時、袋ナット２７の内ネジのひとネジが止水栓本体の取り付け口のネジに係止すればよく、後は手探りであっても容易に袋ナット２７を回転螺合することができるのである。
【産業上の利用可能性】
【００２３】
本願発明は止水栓、所謂、水道元栓の取り替え作業を容易にする、止水栓本体、パッキン及び袋ナットから構成される止水栓に利用可能である。
【図面の簡単な説明】
【００２４】
【図１】従来の止水栓の取り替え時の様子を表す説明図。
【図２】先行技術の説明図。
【図３】パッキンの断面図。
【図４】同、斜視図。
【図５】袋ナットの斜視図。
【図６】同、他の実施形態を示す斜視図。
【図７】本願発明に係る止水栓の取り替え状態を説明する説明図。
【符号の説明】
【００２５】
１３、２４、パッキン    １５、２５、金属リング    １４、２６、ゴム製パッキン    １６、１９、２７、袋ナット    １８、２１、２９、切欠部
【図１】
2006265988.tif 000003
【図２】
2006265988.tif 000004
【図３】
2006265988.tif 000005
【図４】
2006265988.tif 000006
【図５】
2006265988.tif 000007
【図６】
2006265988.tif 000008
【図７】
2006265988.tif 000009